(57)【要約】  【課題】 用時混合前には、キャップをポンプ装置とともに装着アダプタに装着保持させて、溶解作業後に装着アダプタを容器本体に組み付けるだけで、ポンプ及びキャップの組み付けが完了するようにする。  【解決手段】  容器本体３と、該容器本体３の口部２に装着されるポンプ装置４と、該ポンプ装置４を作動させるべく口部２の軸方向内方に向けて押し込み操作可能なアクチュエータ５と、ポンプ装置４を口部２に装着するための装着アダプタ６と、アクチュエータ５を覆うキャップ７とを備え、アクチュエータ５は、径方向内方に張り出す指掛け部２１が設けられ、ポンプ装置４は装着アダプタ６に取付け保持され、キャップ７は、指掛け部２１よりも大径の外筒部と、装着アダプタ６に着脱自在に嵌着される小径の中足３４とを備え、中足３４は指掛け部２１が設けられていない部位に位置して、アクチュエータ５の先端側からキャップ７を被冠可能である。【選択図】  図１
2007297094.tif 000002
【特許請求の範囲】
【請求項１】
口部を有する容器本体と、該容器本体の口部に装着されるポンプ装置と、該ポンプ装置を作動させるべく口部の軸方向内方に向けて押し込み操作可能なアクチュエータと、ポンプ装置を口部に装着するための装着アダプタと、アクチュエータを覆うキャップとを備え、前記アクチュエータは、径方向外方に張り出す指掛け部が周方向所定箇所に設けられており、前記ポンプ装置は装着アダプタに取付け保持されており、前記キャップは、前記指掛け部よりも大径の外筒部と、装着アダプタに着脱自在に嵌着される前記指掛け部よりも小径の中足とを備え、アクチュエータの指掛け部が設けられた箇所を除く周方向所定部位は中足よりも小径に形成されており、中足は前記指掛け部が設けられていない周方向所定部位に位置して、アクチュエータの先端側からキャップを被冠可能であることを特徴とする容器。
【請求項２】
請求項１記載の容器において、装着アダプタは口部に対して周方向に位置決めされた状態で取り付けられ、アクチュエータと装着アダプタの間にはアクチュエータの軸方向移動は許容するが相対回転は阻止する案内部を備え、前記中足は、指掛け部によって周方向の位置決めがなされていることを特徴とする容器。
【請求項３】
請求項１又は２記載の容器において、容器本体は非真円形のキャップ嵌合部を備え、該キャップ嵌合部に非真円形の外筒部を外嵌可能であり、容器本体の口部に装着アダプタを取り付ける際、該装着アダプタにキャップを被冠して該キャップの外筒部をキャップ嵌合部に外嵌することにより、口部に対する装着アダプタの周方向位置決めがなされるようになっていることを特徴とする容器。
【請求項４】
請求項１，２又は３記載の容器において、アクチュエータは装着アダプタに案内保持される基部を備え、装着アダプタはアクチュエータの基部が軸方向移動可能に内嵌される案内筒部を備え、前記中足は、案内筒部外周に嵌着されることを特徴とする容器。
【発明の詳細な説明】
【技術分野】
【０００１】
本発明は、点鼻剤噴霧用の点鼻容器に関する発明である。
【背景技術】
【０００２】
従来の点鼻容器として、本願出願人は、既に特開２００４−０１８０１９号公報（特許文献１）の図８〜図１０に開示したものを提案している。
【０００３】
この点鼻容器は、用時溶解型のものであって、同公報の図１０を参照して使用方法を説明すると、工程（ａ）は製品の納入形態、即ち、輸送時や保管時の状態を示している。使用する際には、まず、工程（ｂ）に示すようにバイアル瓶（１）の口部（４）から蓋部材（６）並びに栓体（５）を取り外すとともに、ボトル（２）のカバーキャップ（４５）を取り外す。次に、工程（ｃ）に示すようにボトル（２）を上下反転して、接続口部（５２ａ）をバイアル瓶（１）の口部（４）内に押し込み、両容器（１，２）を接続する。次に、ボトル（２）をさらに押し込むと、工程（ｄ）〜（ｅ）に示すように、第２キャップ構成体（５２）が第１キャップ構成体（５１）に対して相対的に軸方向に移動して、プラグ（５２ｃ）の開口部（５６）がボトル内部空間に露呈して、キャップ（５０）内に、バイアル瓶（１）の内部空間とボトル（２）の内部空間とを連通させる連通路が形成され、ボトル（２）内の液体成分が連通路を介してバイアル瓶（１）内に流入する。十分に固体成分と液体成分との混合を行った後、工程（ｆ）に示すように全体を上下反転させてボトル（２）を下方側にかつバイアル瓶（１）を上方側に位置させると、混合液剤がすべてボトル（２）内に流入する。そして、工程（ｇ）に示すように、ホルダー部（５１ｄ）を把持して第１キャップ構成体（５１）全体を回転操作することでボトル口部（２２）からキャップ（５０）をバイアル瓶（１）とともに取り外す。そして、工程（ｈ）に示すように、別途用意しておいたポンプスプレー装置などの吐出装置（５０）をボトル口部（２２）に装着することによって、混合前は液体成分用容器として用いたボトル（２）を吐出容器として用いることが可能となる。その後、保管時には、図示しないオーバーキャップを、ボトル（２）の肩部に外嵌装着し、このキャップによって吐出装置（５０）全体を覆うようになっている。
【特許文献１】特開２００４−０１８０１９号公報  段落番号００５２〜００６４，図８〜図１０
【発明の開示】
【発明が解決しようとする課題】
【０００４】
上記従来の用時溶解点鼻容器では、溶解液容器、ポンプ及びオーバーキャップは包装形態が別々となるとともに、薬剤師若しくは患者が溶解作業後にポンプとオーバーキャップとを順次容器に組み付けていく作業が必要であり、その作業が繁雑かつ手間である。
【０００５】
一方、点鼻操作性の向上のため、ポンプのアクチュエータは平面視長円形の指掛け部を有し、該指掛け部の長径はポンプをボトルに取り付けるための装着アダプタよりも大径となるため、従来のキャップ構造ではキャップを装着アダプタに外嵌装着することはできない。
【課題を解決するための手段】
【０００６】
ここに開示される本発明の容器は、口部を有する容器本体と、該容器本体の口部に装着されるポンプ装置と、該ポンプ装置を作動させるべく口部の軸方向内方に向けて押し込み操作可能なアクチュエータと、ポンプ装置を口部に装着するための装着アダプタと、アクチュエータを覆うキャップとを備え、前記アクチュエータは、径方向内方に張り出す指掛け部が周方向所定箇所に設けられており、前記ポンプ装置は装着アダプタに取付け保持されており、前記キャップは、前記指掛け部よりも大径の外筒部と、装着アダプタに着脱自在に嵌着される前記指掛け部よりも小径の中足とを備え、アクチュエータの指掛け部が設けられた箇所を除く周方向所定部位は中足よりも小径に形成されており、中足は前記指掛け部が設けられていない周方向所定部位に位置して、アクチュエータの先端側からキャップを被冠可能であることを特徴とするものである。なお、「指掛け部よりも大径の外筒部」とは、指掛け部が存在する周方向位置で外筒部の内径が指掛け部の最大径よりも大径であって、外筒部をアクチュエータに対して軸方向に移動させることで被冠できるものであればよく、指掛け部が存在しない周方向位置で外筒部が指掛け部の最大径よりも小径であってもよい。
【０００７】
かかる本発明によれば、中足を装着アダプタに嵌着することによって、キャップを装着アダプタに装着保持させておくことができる。したがって、用時混合前には、キャップをポンプ装置とともに装着アダプタに装着保持させて包装することができ、溶解作業後に装着アダプタを容器本体に組み付けるだけで、ポンプ及びキャップの組み付けが完了する。一方、組み付け後は、キャップの外筒部によって、指掛け部を有するアクチュエータを備えるポンプ装置及び装着アダプタ全体を保護することができる。
【０００８】
上記本発明の容器において、装着アダプタは口部に対して周方向に位置決めされた状態で取り付けられ、アクチュエータと装着アダプタの間にはアクチュエータの軸方向移動は許容するが相対回転は阻止する案内部を備え、前記中足は、指掛け部によって周方向の位置決めがなされているものとすることができる。これによれば、容器本体に対する各パーツの取付け角度が一意に定められ、特に、アクチュエータの指掛け部の周方向位置を、容器本体に対して一定位置にすることができる。したがって、容器本体の外周形状を取り扱い性向上のために長円形乃至楕円形とした場合に、かかる容器本体の外周形状に対応して最も操作性の良好な位置に指掛け部を位置させることができる。
【０００９】
また、容器本体は非真円形のキャップ嵌合部を備え、該キャップ嵌合部に非真円形の外筒部を外嵌可能であり、容器本体の口部に装着アダプタを取り付ける際、該装着アダプタにキャップを被冠して該キャップの外筒部をキャップ嵌合部に外嵌することにより、口部に対する装着アダプタの周方向位置決めがなされるように構成できる。これによれば、溶解作業後の装着アダプタを口部に取り付ける際に、キャップの外筒部と容器本体のキャップ嵌合部とで取付け角度を案内しつつ装着アダプタを口部に押し込むことで、容易に指掛け部の容器本体に対する位置決めを行うことができる。
【００１０】
好ましくは、アクチュエータは装着アダプタに案内保持される基部を備え、装着アダプタはアクチュエータの基部が軸方向移動可能に内嵌される案内筒部を備え、前記中足は、案内筒部外周に嵌着されるものとすることができる。これによれば、簡単な構造でありながら、アクチュエータの動作の安定性向上を図りつつ、キャップを装着アダプタに嵌着できる構造を提供できる。
【発明の効果】
【００１１】
本発明によれば、容器本体に指掛け部を有するポンプ装置及びキャップを組み付けるに際し、予め装着アダプタにポンプ装置とキャップとを装着しておくことができるので、装着アダプタを容器本体に装着すればポンプ装置とキャップの組み付けも完了し、容易かつ迅速に組み付け作業を行うことができる。
【発明を実施するための最良の形態】
【００１２】
以下、本発明の最良の実施の形態を図面に基づいて説明する。
【００１３】
図１〜図４は本発明の一実施例に係る用時溶解点鼻容器１を示し、該容器１は、口部２を有する容器本体３と、該容器本体３の口部２に装着されるポンプ装置４と、該ポンプ装置４を作動させるべく口部２の軸方向内方に向けて押し込み操作可能なアクチュエータ５と、ポンプ装置４を口部２に装着するための装着アダプタ６と、アクチュエータ５及び装着アダプタ６を覆うキャップ７とを備えている。
【００１４】
なお、この容器１の使用前は、図５に示すように凍結乾燥製剤を収容するバイアル瓶４０（第１容器）と、このバイアル瓶とは独立しているとともに前記固体成分の溶媒乃至分散媒となる液体成分を密封収容する容器本体３（第２容器）とに、固体成分と液体成分とを分離収容している。この容器本体３の口部２には、容器本体３とバイアル瓶４０のそれぞれの口部２，４１を連結するための連結アダプタ４２が着脱可能に外嵌螺着されている。そして、使用時に、バイアル瓶４０を開封する一方、容器本体３の密封収容状態を保持したまま、図６に示すように開封したバイアル瓶４０の口部４１に連結アダプタ４２を介して容器本体３を連結し、バイアル瓶４０を押し込むことによって連結アダプタ４２内部にバイアル瓶４０の内部空間と容器本体３の内部空間とを連通させる連通路を開成し、該連通路を介して固体成分と液体成分とを混合させて該混合液剤を容器本体３内に収容する。そして、上記混合後に、図７に示すように、容器本体３からバイアル瓶４０及び連結アダプタ４２を取り外し、容器本体３に樹脂ボトル９内の混合液剤を吐出するためのポンプ装置４を装着することで、容器本体３内の前記混合液剤を吐出可能として、前記混合前においては液体成分用容器として用いた容器本体３を混合液剤の吐出容器として用いることができるようになっている。かかる構成によれば、用時混合前の保管や輸送時等においては、セットを構成する容器が２つであるので、スプレー容器を別途設ける場合に比して梱包材が大きくなりすぎることがなく、取扱いの容易化とコスト低減を図ることが可能となる。また、用時混合前においては液体成分用の収容容器として用いた容器本体を、用時混合後は混合液剤の吐出容器として流用しているので、構成要素の削減によるコスト低減と、廃棄量の低減とを図ることができ、環境性の向上をも図ることが可能となる。
【００１５】
容器本体３は、有底円筒状の胴部８と口部２とを一体に備えるブロー成形樹脂ボトル９と、該ボトル９の底部に外嵌装着される台座１０と、台座１０の外周に嵌合するとともにボトル９の上部側を保持するホルダー１１とからなる。口部２の基端部近傍の外周には、装着アダプタ６を係止するためのフランジ部２ａが形成されている。ボトル９下部の外周面には周方向所定位置に複数の縦溝１２が形成されており、台座１０の内周面には縦溝１２に対応する位置に各縦溝１２に嵌合するリブ１３が形成されており、これにより台座１０はボトル９に対して所定の取付け角度でのみ嵌合可能になっている。また、台座１０の外周は略楕円形とされ、これに対応してホルダー１１の下部、即ち台座１０に嵌合する部位も略楕円形とされ、ホルダー１１が台座１０に対して所定の取付け角度（すなわち、周方向に所定位置）でのみ嵌合可能になっている。ホルダー１１の装着後の微少な位置ずれを防止するため、台座１０とホルダー１１の嵌合部には周方向所定位置に縦リブ１４が設けられている。ホルダー１１の上部外周には、キャップ７が嵌合する平面視略楕円形の嵌合部１５が形成されている。
【００１６】
ポンプ装置４は、ポンプ機構を内蔵する円筒状本体部１６と、本体部１６の上部から突出して押し込み操作可能なステム１７と、本体部１６の下部に取り付けられる液剤吸い上げ管１８（図７参照）とを備え、該吸い上げ管１８の下端部はボトル９の底部付近に開口されて、ボトル９の底部から液剤を吸い上げるようになっている。本体部１６の軸方向中途部には口部２と略同径のフランジ部１９が設けられており、該フランジ部１９が口部２の口上面にリング状のゴム製ガスケット２０を介して当接されている。また、フランジ部１９の若干上方で本体部１６の外周には全周にわたって凸条２８が形成されている。
【００１７】
アクチュエータ５は、ポンプ装置４のステム１７に嵌着されている。より詳細には、アクチュエータ５は、ポンプ装置４のステム１７に嵌着される円筒状基部２１と、基部２１よりも大径の円錐台形状でかつ基部２１に先端部で一体に接続されたノズル部２２と、該ノズル部２２の基端部に設けられた指掛け部２３と、ノズル部２２の基端部から基端側に向けて延設された円筒状のガイド部２４とを備えている。指掛け部２３は周方向所定箇所、図示実施例では直径方向に対向する２箇所に設けられ、径方向外方に張り出すように形成されており、２つの指掛け部２３全体で平面視ほぼ長円形に形成されている。この指掛け部２１が設けられていない周方向部位は小径に形成され、後述するキャップ７の中足３４が、指掛け部２３が設けられていない周方向部位でアクチュエータ５の外周側に被せることが可能になっている。
【００１８】
装着アダプタ６は、ポンプ装置４の本体部１６を係止するための内向きフランジ２５と、該フランジ２５の外周縁から下方に延設された円筒状のキャップ部２６と、フランジ２５の外周縁から上方に延設された円筒状の案内筒部２７とを備えている。フランジ２５は、ポンプ本体部１６のフランジ部１９と凸条２８との間に嵌め込まれ、これによりポンプ装置４を保持している。キャップ部２６は、その内径が口部２の外径よりも大径とされ、軸方向に押し込むことで口部２に被冠可能である。キャップ部２６の周方向所定部位には、口部２の基端部近傍に設けたフランジ部２ａに係止する係止片２９が設けられ、該係止片２９とフランジ部２ａとの係合によって装着アダプタ６の口部２からの離脱を防止している。口部２のフランジ部２ａよりも上方で口部２の外周にキャップ部２６が外嵌されており、この嵌合部の周方向所定箇所（上記係止片２９が設けられた周方向位置とは異なる周方向位置）に縦リブ３０が設けられて、これにより口部２に対する装着アダプタ６の取付け角度（周方向取付け位置）が位置決めされるようになっている。
【００１９】
上記アクチュエータ５のガイド部２４は、装着アダプタ６の案内筒部２７に軸方向移動可能に内挿されている。アクチュエータ５のガイド部２４の周方向所定箇所には縦溝３１が設けられているとともに、装着アダプタ６の案内筒部２７には、縦溝３１に対応する位置に縦溝３１に軸方向移動自在に嵌合する凸部３２が軸方向全長にわたって設けられており、これら縦溝３１と凸部３２によって、アクチュエータ５の軸方向移動は許容するが相対回転は阻止する案内部がアクチュエータ５と装着アダプタ６との間に構成されている。
【００２０】
キャップ７は、上記指掛け部２３よりも大径の長径を有する断面楕円形乃至長円形の外筒部３３と、装着アダプタ６の案内筒部２７に着脱自在に外嵌装着される指掛け部２３よりも小径の中足３４と、天板部３５とを一体に備えている。外筒部３３は、口部２、装着アダプタ６及びアクチュエータ５を外周側から覆うものであって、容器本体３のホルダー１１のキャップ嵌合部１５に着脱自在に外嵌装着される。中足３４は、図２にも示すように、直径方向に対向して一対設けられており、各中足３４は断面円弧状に形成され、装着アダプタ６の案内筒部２７外周に着脱自在に外嵌装着される。この中足３４と装着アダプタ６との嵌合部には、不慮にキャップ７が抜けることを防止するためのアンダーカット部が設けられている。また、中足３４の周方向縁部は、アクチュエータ５の指掛け部２３の基部の側縁に近接され、これにより中足３４は指掛け部２３によって周方向の位置決めがなされるようになっている。
【００２１】
本発明は、上記実施形態に限定されるものではなく、適宜設計変更することができる。
【産業上の利用可能性】
【００２２】
本発明は、用時溶解点鼻容器など、使用前は二剤を別々の容器に収容しておき、用時に二剤を混合した後、混合液剤を収容する容器にポンプ装置を装着する形式の用時混合容器に好適に利用できる。
【図面の簡単な説明】
【００２３】
【図１】本発明の一実施形態に係る容器の縦断面図であって、中心線の左右で断面位置を９０度異ならせた縦断面図である。
【図２】図１のＡ−Ａ線断面図である。
【図３】図１のＢ−Ｂ線断面図である。
【図４】図１のＣ−Ｃ線断面図である。
【図５】同容器の用時混合前の２剤分離収容時の２つの容器の縦断面図である。
【図６】図５に示す２つの容器を連結して用時混合作業を行う状態の縦断面図である。
【図７】同容器の容器本体にポンプ装置を取り付ける作業を示す縦断面図である。
【符号の説明】
【００２４】
１    ポンプスプレー容器
２    口部
３    容器本体
４    ポンプ装置
５    アクチュエータ
６    装着アダプタ
７    キャップ
２３    指掛け部
３４    中足
【図１】
2007297094.tif 000003
【図２】
2007297094.tif 000004
【図３】
2007297094.tif 000005
【図４】
2007297094.tif 000006
【図５】
2007297094.tif 000007
【図６】
2007297094.tif 000008
【図７】
2007297094.tif 000009